(57)【要約】      （修正有）【課題】外食産業で主に提供される太さが不揃いな割り箸に対応できる機能とデザインを備えた箸補助具がなく、箸先の状態を維持することを箸補助具部材の弾性に依存した箸補助具はその弾性ゆえに箸先の噛み合いのずれが生じ、かつ、箸先を常に閉じた状態で保持できる箸補助具がなかったので、割り箸を使う食事に対し安定した使用感と利便性のある箸補助具を提供する。【解決手段】左右の箸保持体ケース１に付属した板の半円形曲面部９は支軸８を中心とした同心円上にあり、この同心円の接線上に左右の箸保持体ケース内側平面１０があり、箸３を動かすと半円形曲面部は箸保持体ケース内側平面上に接合しながら回動するために、箸先の噛み合いのずれを解消する構造の箸補助具を提供する。【選択図】図１
2017074337.tif 000002
【特許請求の範囲】
【請求項１】
（イ）２本の箸を別々に挿入するための穴がある箸保持体ケースを箸補助具の左右に各１個備え、前記左右の箸保持体ケースの中央に太さが不揃いな箸を固定するための箸固定ネジを設置し、
（ロ）前記左右の箸保持体ケースを対向するように配して前記左右の箸持体ケースに付属した板の軸穴を重ね合わせ、重ね合わせた時にできる隙間に開閉調節バネの中心を通して支軸を貫通させ、開閉調節バネの両先端を曲げて左右の前記箸保持体ケースの箸持ち手側の両端に引っ掛けて設置し、
（ハ）前記左右の箸保持体ケースに付属した板の半円形曲面部は、支軸を中心とした同心円上にありこの同心円の接線上に左右の箸保持体ケース内側平面があり箸を動かすと半円形曲面部は箸保持体ケース内側平面上に接合しながら回動するように設け、
（ニ）前記開閉調節バネの力は箸の先端同士が常に閉じた状態を保持しながら、箸を動かす時の過大な負荷を抑制し、箸を自在に開閉できるように設ける、
以上のように構成された箸補助具。
【発明の詳細な説明】
【技術分野】
【０００１】本発明は、箸を上手く使いこなせない人が、箸を使用する場所と箸の太さに制限されることなく、いつでも自由に箸を使用して快適な食事をすることができる箸補助具に関するものである。
【背景技術】
【０００２】特許文献１では、箸同士を弾性的に開離させるために弾性部材でできたことを特徴とする箸補助具を提供している。
特許文献２では、箸の使い方の習熟度に応じて段階的に構造を可変としており、連結部材に対して回動自在になるように取り付けたホルダと、箸に着脱自在に取り付けて箸同士を開離させるためのばね部材で構成される箸補助具を提供している。
特許文献３は、ケース内に箸保持体を収める事で回動時の箸の噛み合いのずれを矯正し、手の平でケースを挟み込むことで安定性と使い勝手を両立しようとするものであり、箸を開く方向へ付勢回動する動力のプッシュロッドで箸先を常に開いた状態に保つ構造の箸補助具である。
特許文献４は、箸補助具を軟質シリコンゴム又は軟質合成樹脂により成形することで、箸の先端部の間隔を先広がり状態に保持し、箸の先端を軟質部材の弾力によって原状位置に復帰する構造の箸補助具である。
特許文献５は、箸補助具に人差指と中指を挿入する部分を設け、箸の脱落を防ぎ、箸先端の開閉をコントロールする構造の箸補助具である。
【先行技術文献】
【特許文献】
【０００３】
【特許文献１】特開２０１２−０１６４２９号公報
【特許文献２】特開２０１２−００５７５１号公報
【特許文献３】特開２００８−１４２３０９号公報
【特許文献４】実登３１４４７１０号公報
【特許文献５】実登３１３３２００号公報
【発明の概要】
【発明が解決しようとする課題】
【０００４】特許文献１と特許文献２では、箸同士を開離させるための力と左右の箸を固定する力を弾性部材の弾力に委ねているため、箸補助具としての安定性に欠き、かつ、太さの違う箸に対応できる機能は備えていない。
特許文献３では、箸の動きが直接手に伝わらないように回動する箸保持体をケース内に収める事で箸先の噛み合いのずれを矯正できるとし、手の平でケースを挟み込むことで安定性と使い勝手の向上を図ろうとしているが、箸補助具自体の性能による効果とは言いがたい。
特許文献４では、箸保持具を軟質シリコンゴムや軟質合成樹脂で成形することで、成形部材の弾力を利用して箸の先端部を先広がり状態に保持し、弾力により箸先を原状位置に復帰させようとするために、箸保持具が有する弾力そのものが逆に箸先の噛み合いのずれを生じさせ、箸を安定した状態で保持できない要因となっている。
特許文献５では、箸補助具に設けられた指穴に指を入れることで、箸を動かす機能を補助する構造であり、決められた太さの箸を自宅や病院で使うことを前提にしている。
上記のように先願の箸補助具は、箸先の開閉や箸先の状態を維持することを箸補助具部材の弾性に依存しており、その弾性があるゆえに箸先の噛み合いのずれが生じて安定した使用感を提供できず、かつ、ほとんどの外食産業で提供されている太さが不揃いな割り箸に対応できる機能とデザインを備えておらず、箸をうまく使いこなせない外国人などが、外食レストラン等で提供される割り箸などを使用する時に、適切な箸補助具がなく不自由な思いをしながら食事をとることしかできなかった。
【課題を解決するための手段】
【０００５】  本発明は、２本の箸を別々に挿入するための穴がある箸保持体ケースを箸補助具の左右に各１個備えており、前記左右の箸保持体ケースの中央に太さが不揃いな箸を固定するための箸固定ネジを設置した構造の箸補助具を提供する。
前記左右の箸保持体ケースに付属した板の半円形曲面部は、支軸を中心とした同心円上にあり、この同心円の接線上に左右の箸保持体ケース内側平面があり、箸を動かすと半円形曲面部は箸保持体ケース内側平面上に接合しながら回動する構造の箸補助具を提供する。
左右の箸保持体ケースに付属した板の軸穴に支軸を通して前記箸保持体ケースを連結させる時に、連結した左右の板の隙間部分の支軸に開閉調節バネを通して開閉調節バネの両端を箸保持体ケースの箸持ち手側の両端に固定する箸補助具を提供する。
【発明の効果】
【０００６】  本発明は、前記左右の箸保持体ケースの中央に箸固定ネジを設置することで、ほとんどの外食産業で提供される太さが不揃いな割り箸に対してもその太さに制限されることなくしっかりと箸を固定できる箸補助具を提供し、かつ、前記左右の箸保持体ケースに付属した板の半円形曲面部は支軸を中心とした同心円上にあり、この同心円の接線上に左右の箸保持体ケース内側平面があり、箸を動かすと半円形曲面部は箸保持体ケース内側平面上に接合しながら回動するために箸先の噛み合いのずれを解消して箸先の安定性を向上させることができる。
前記左右の箸保持体ケースに付属した板の軸穴を通過する支軸に通した前記開閉調節バネは、箸先を常に閉じた状態に保持すると共に、箸先を開閉する時の過大な負荷を抑制する機能を備えているので快適な使用感を提供するものである。
【図面の簡単な説明】
【０００７】
【図１】本発明の斜視図
【図２】本発明の全体図
【図３】本発明の開閉状態図
【発明を実施するための形態】
【０００８】以下、本発明の実施形態を説明する。
（イ）２本の箸（３）を別々に挿入するための穴（４）がある箸保持体ケース（１）を箸補助具の左右に各１個備えており、前記左右の箸保持体ケース（１）の中央に太さが不揃いな箸（３）を固定するための箸固定ネジ（２）を設置した構造の箸補助具を提供する。
（ロ）前記左右の箸保持体ケース（１）を対向するように配して、前記左右の箸持体ケース（１）に付属した板（７）の軸穴（５）を重ね合わせ、重ね合わせた時にできる隙間に開閉調節バネ（６）の中心に支軸（８）を通して貫通させ開閉調節バネ（６）の両先端を曲げて左右の前記箸保持体ケース（１）の箸（３）持ち手側の両端に引っ掛けて設置する箸補助具を提供する。
（ハ）前記左右の箸保持体ケース（１）に付属した板（７）の半円形曲面部（９）は支軸（８）を中心とした同心円上にあり、左右の箸保持体ケース内側平面（１０）はこの同心円の接線上にあって、箸（３）を動かすと半円形曲面部（９）は箸保持体ケース内側平面（１０）上に接合しながら回動する構造である。
【０００９】  本発明を使用する時は、前記左右の箸保持体ケース（１）に設置した穴（４）に２本の箸（３）の各１本を貫通させ、前記左右の箸保持体ケース（１）の中央に設置された箸固定ネジ（２）で貫通させた箸（３）をしっかり固定させる。
箸補助具全体を親指と人差指の間に挟んで、親指で抑えながら、人差指と中指で上方の箸先を開閉させることで、２本の箸（３）の先端が交差することなく、料理を掴んだり離したりすることができる。
２本の箸（３）は常に箸保持体ケース（１）の箸固定ネジ（２）に固定されているために、２本の箸（３）を個別に落下させることがなくなると共に、前記開閉調節バネ（６）の力によって箸を動かす時の過大な負荷が抑制される。
箸の使い方に慣れていない外国人でも、外食レストラン等で提供される太さが不揃いな割り箸などを使用して、快適な食事ができるようにするための箸補助具を提供する。
【符号の説明】
【００１０】  １    箸保持体ケース、
２    箸固定ネジ、
３    箸
４    穴
５    軸穴
６    開閉調節バネ、
７    箸保持体ケースに付属した板
８    支軸
９    半円形曲面部
１０  箸保持体ケース内側平面
【図１】
2017074337.tif 000003
【図２】
2017074337.tif 000004
【図３】
2017074337.tif 000005